(57)【特許請求の範囲】
【請求項１】
ＶｏＩＰ端末が接続される回線と当該ＶｏＩＰ端末の電話番号とが対応付けられたＩＰ電話ネットワークにおいて、前記ＶｏＩＰ端末への情報設定を行うための端末設定システムであって、
前記ＶｏＩＰ端末のＩＰアドレスを含む設定情報を格納する格納手段と、
前記ＶｏＩＰ端末からのアクセスデータを受信し、当該アクセスデータに含まれる発信元ＩＰアドレスと前記格納手段に格納された前記ＶｏＩＰ端末のＩＰアドレスとを照合することにより前記ＶｏＩＰ端末の認証を行う認証手段と、
前記認証手段による認証が成功した場合に、前記ＶｏＩＰ端末のＩＰアドレスに基づき、前記ＶｏＩＰ端末の設定情報を前記格納手段から取得し、取得した設定情報を前記ＶｏＩＰ端末に送信する設定情報ダウンロード手段と、
前記設定情報を前記ＶｏＩＰ端末に送信した後に当該ＶｏＩＰ端末から設定完了通知を受信したことを契機として、前記ＩＰ電話ネットワーク上のＩＰ電話用呼制御装置に前記設定情報を送信する設定情報送信手段と、
前記アクセスデータが更新情報確認要求である場合に、前記格納手段に格納された前記ＶｏＩＰ端末の設定情報に更新情報が有るか否かを確認し、更新情報の有無と、前記ＶｏＩＰ端末が次に更新情報確認要求を送信すべきタイミングとを、前記更新情報確認要求への応答として、前記ＶｏＩＰ端末に送信する更新情報確認手段と
を備えたことを特徴とする端末設定システム。
【請求項２】
ＶｏＩＰ端末が接続される回線と当該ＶｏＩＰ端末の電話番号とが対応付けられたＩＰ電話ネットワークで用いられるＶｏＩＰ端末であって、
電源投入を契機として、ＩＰ電話ネットワーク側から前記回線に対応するＩＰアドレスを取得するＩＰアドレス取得手段と、
前記ＩＰアドレス取得手段により取得したＩＰアドレスと、前記ＶｏＩＰ端末が既に保持しているＩＰアドレスとを比較し、これらが異なる場合に、前記ＩＰ電話ネットワーク上に備えられた端末設定システムにアクセスし、当該端末設定システムから設定情報を取得する設定情報取得手段と、
前記設定情報の設定が完了したことを前記端末設定システムに通知する手段と
を備えたことを特徴とするＶｏＩＰ端末。
【請求項３】
所定の契機に前記端末設定システムにアクセスし、前記ＶｏＩＰ端末の設定情報の更新の有無を確認し、更新情報がある場合に前記端末設定システムから更新情報を取得する更新情報取得手段を更に備えたことを特徴とする請求項２に記載のＶｏＩＰ端末。
【請求項４】
ＶｏＩＰ端末が接続される回線と当該ＶｏＩＰ端末の電話番号とが対応付けられたＩＰ電話ネットワークにおいて、コンピュータを前記ＶｏＩＰ端末への情報設定を行うための端末設定手段として機能させるためのプログラムであって、前記コンピュータを、
前記ＶｏＩＰ端末からのアクセスデータを受信し、当該アクセスデータに含まれる発信元ＩＰアドレスと、前記ＶｏＩＰ端末のＩＰアドレスを含む設定情報を格納する格納手段に格納された前記ＶｏＩＰ端末のＩＰアドレスとを照合することにより前記ＶｏＩＰ端末の認証を行う認証手段、
前記認証手段による認証が成功した場合に、前記ＶｏＩＰ端末のＩＰアドレスに基づき、前記ＶｏＩＰ端末の設定情報を前記格納手段から取得し、取得した設定情報を前記ＶｏＩＰ端末に送信する設定情報ダウンロード手段、
前記設定情報を前記ＶｏＩＰ端末に送信した後に当該ＶｏＩＰ端末から設定完了通知を受信したことを契機として、前記ＩＰ電話ネットワーク上のＩＰ電話用呼制御装置に前記設定情報を送信する設定情報送信手段、
前記アクセスデータが更新情報確認要求である場合に、前記格納手段に格納された前記ＶｏＩＰ端末の設定情報に更新情報が有るか否かを確認し、更新情報の有無と、前記ＶｏＩＰ端末が次に更新情報確認要求を送信すべきタイミングとを、前記更新情報確認要求への応答として、前記ＶｏＩＰ端末に送信する更新情報確認手段、
として機能させるためのプログラム。
【請求項５】
ＶｏＩＰ端末が接続される回線と当該ＶｏＩＰ端末の電話番号とが対応付けられたＩＰ電話ネットワークで用いられるＶｏＩＰ端末を、
電源投入を契機として、ＩＰ電話ネットワーク側から前記回線に対応するＩＰアドレスを取得するＩＰアドレス取得手段、
前記ＩＰアドレス取得手段により取得したＩＰアドレスと、前記ＶｏＩＰ端末が既に保持しているＩＰアドレスとを比較し、これらが異なる場合に、前記ＩＰ電話ネットワーク上に備えられた端末設定システムにアクセスし、当該端末設定システムから設定情報を取得する設定情報取得手段、
前記設定情報の設定が完了したことを前記端末設定システムに通知する手段、
として機能させるためのプログラム。
【発明の詳細な説明】
【技術分野】
【０００１】
本発明はＩＰ電話サービスで用いられるＶｏＩＰ（Voice over Internet Protocol）端末に対する情報設定を自動的に行う技術に関するものである。
【背景技術】
【０００２】
従来の加入電話で用いられている０ＡＪ番号（０ＡＢ〜Ｊ番号ともいう）を付与したＩＰ電話サービスが通信事業者から提供され始めている。
【０００３】
０ＡＪ番号を用いたＩＰ電話サービスでは、制度上、従来の加入電話と同様に、電話番号とＶｏＩＰ端末を利用する場所（回線）とが一対一で結び付けられなければならない。  このような０ＡＪ番号対応のＩＰ電話サービスでは、ＶｏＩＰ端末の設定をそれが接続される回線と異なる回線のものとすることによるなりすましを防止する等の観点から、個々のＶｏＩＰ端末の設定は工事担当者がユーザ宅内で手動で行わなければならなかった。更に、ユーザからの申し込みやネットワーク側の都合により、ＶｏＩＰ端末の設定変更が必要になった場合も、工事担当者がユーザ宅に行き、手動設定を行う必要があった。また、セキュリティの観点からネットワーク側からＶｏＩＰ端末を遠隔操作することができなかった。
【０００４】
更に、電話番号等の設定変更を行う場合において、ネットワーク側の設定情報の変更とＶｏＩＰ端末の設定情報の変更に時間的なずれが生じると、ユーザがＩＰ電話サービスを利用できない期間が発生するため、ネットワーク側の設定情報の変更とＶｏＩＰ端末の設定情報の変更とをできるだけ同時に行うようネットワーク側の工事担当者とネットワーク側の工事担当者が注意を払う必要があった。
【０００５】
また、工事担当者による設定情報の手動設定では、印刷された設定情報を参照するため、個人情報保護の観点からも望ましい設定方法ではなかった。
【０００６】
なお、関連技術としてＶｏＩＰ用ターミナルアダプタの設定を自動的に行う技術が特許文献１に開示されている。
【特許文献１】特開2004-235761号公報
【発明の開示】
【発明が解決しようとする課題】
【０００７】
本発明は上記の点に鑑みてなされたものであり、ＶｏＩＰ端末の電話番号と、当該ＶｏＩＰ端末が接続される回線とが結びつけられたＩＰ電話システムにおいて、ＶｏＩＰ端末の設定を自動的に行う技術を提供することを目的とする。
【課題を解決するための手段】
【０００８】
上記の課題は、ＶｏＩＰ端末が接続される回線と当該ＶｏＩＰ端末の電話番号とが対応付けられたＩＰ電話ネットワークにおいて、前記ＶｏＩＰ端末への情報設定を行うための端末設定システムであって、前記ＶｏＩＰ端末のＩＰアドレスを含む設定情報を格納する格納手段と、前記ＶｏＩＰ端末からのアクセスデータを受信し、当該アクセスデータに含まれる発信元ＩＰアドレスと前記格納手段に格納された前記ＶｏＩＰ端末のＩＰアドレスとを照合することにより前記ＶｏＩＰ端末の認証を行う認証手段と、前記認証手段による認証が成功した場合に、前記ＶｏＩＰ端末のＩＰアドレスに基づき、前記ＶｏＩＰ端末の設定情報を前記格納手段から取得し、取得した設定情報を前記ＶｏＩＰ端末に送信する設定情報ダウンロード手段と、前記設定情報を前記ＶｏＩＰ端末に送信した後に当該ＶｏＩＰ端末から設定完了通知を受信したことを契機として、前記ＩＰ電話ネットワーク上のＩＰ電話用呼制御装置に前記設定情報を送信する設定情報送信手段とを備えたことを特徴とする端末設定システムにより解決できる。
【０００９】
前記端末設定システムは、前記アクセスデータが更新情報確認要求である場合に、前記格納手段に格納された前記ＶｏＩＰ端末の設定情報に更新情報が有るか否かを確認し、更新情報の有無を前記ＶｏＩＰ端末に送信する更新情報確認手段を更に備えてもよい。
【００１０】
前記更新情報確認手段は、前記更新情報確認要求への応答として、更新情報の有無に加えて前記ＶｏＩＰ端末が次に更新情報確認要求を送信すべきタイミングを通知するようにしてもよい。
【００１１】
前記ＶｏＩＰ端末は、電源投入を契機として、ＩＰ電話ネットワーク側から前記回線に対応するＩＰアドレスを取得するＩＰアドレス取得手段と、前記ＩＰ電話ネットワーク上に備えられた端末設定システムにアクセスし、当該端末設定システムから設定情報を取得する設定情報取得手段と、前記設定情報の設定が完了したことを前記端末設定システムに通知する手段とを備えて構成することができる。
【００１２】
前記ＶｏＩＰ端末は、所定の契機に前記端末設定システムにアクセスし、前記ＶｏＩＰ端末の設定情報の更新の有無を確認し、更新情報がある場合に前記端末設定システムから更新情報を取得する更新情報取得手段を更に備えてもよい。また、前記設定情報取得手段は、前記ＩＰアドレス取得手段により取得したＩＰアドレスと、前記ＶｏＩＰ端末が既に保持しているＩＰアドレスとを比較し、これらが異なる場合に前記端末設定システムにアクセスし、設定情報を取得するように構成することもできる。
【００１３】
また、本発明は、ＶｏＩＰ端末が接続される回線と当該ＶｏＩＰ端末の電話番号とが対応付けられたＩＰ電話ネットワークにおいて、コンピュータを前記ＶｏＩＰ端末への情報設定を行うための端末設定手段として機能させるためのプログラムであって、前記コンピュータを、前記ＶｏＩＰ端末からのアクセスデータを受信し、当該アクセスデータに含まれる発信元ＩＰアドレスと、前記ＶｏＩＰ端末のＩＰアドレスを含む設定情報を格納する格納手段に格納された前記ＶｏＩＰ端末のＩＰアドレスとを照合することにより前記ＶｏＩＰ端末の認証を行う認証手段、前記認証手段による認証が成功した場合に、前記ＶｏＩＰ端末のＩＰアドレスに基づき、前記ＶｏＩＰ端末の設定情報を前記格納手段から取得し、取得した設定情報を前記ＶｏＩＰ端末に送信する設定情報ダウンロード手段、前記設定情報を前記ＶｏＩＰ端末に送信した後に当該ＶｏＩＰ端末から設定完了通知を受信したことを契機として、前記ＩＰ電話ネットワーク上のＩＰ電話用呼制御装置に前記設定情報を送信する設定情報送信手段、として機能させるためのプログラムとして構成することができる。
【００１４】
また、本発明は、ＶｏＩＰ端末が接続される回線と当該ＶｏＩＰ端末の電話番号とが対応付けられたＩＰ電話ネットワークで用いられるＶｏＩＰ端末を、電源投入を契機として、ＩＰ電話ネットワーク側から前記回線に対応するＩＰアドレスを取得するＩＰアドレス取得手段、前記ＩＰ電話ネットワーク上に備えられた端末設定システムにアクセスし、当該端末設定システムから設定情報を取得する設定情報取得手段、前記設定情報の設定が完了したことを前記端末設定システムに通知する手段、として機能させるためのプログラムとして構成することもできる。
【発明の効果】
【００１５】
本発明によればＶｏＩＰ端末をネットワーク側から自動的に設定することが可能となり、工事担当者の労力が削減される。また、手動での設定を行わないので、悪意のあるユーザの成りすましを防止できる。更に、ＶｏＩＰ端末での情報設定完了を検知し、それに応じて呼制御サーバ（ＣＡ）の設定を自動的に行うので、ＶｏＩＰ端末の設定情報とネットワーク側の設定情報との不整合が発生するのを防止できる。
【発明を実施するための最良の形態】
【００１６】
以下、図面を参照して本発明の実施の形態について説明する。
【００１７】
（システムの概要）
図１に本発明の一実施形態である通信システムの構成例を示す。図１では、ＶｏＩＰ端末１０がある場所（部屋）で固定して使用され、ＤＳＬＡＭ３０（Digital Subscriber Line Access Multiplexer）を介してＶｏＩＰ用のセッションと、ＰＣ用のＰＰＰセッションを確立できる例を示している。
【００１８】
図１に示す０ＡＪ対応ＶｏＩＰ通信システムは、回線毎に固定のＩＰアドレスを対応付けて保持するＤＨＣＰサーバ４０、ＶｏＩＰ端末１０の設定を自動的に行う端末設定システム２０、及び呼制御サーバ５０（ＣＡ）を備えている。また、ＰＣ通信用にはＰＣ用セッション確立のためのＢＡＳ６０（Broadband Access Server）等が備えられている。
【００１９】
なお、本実施の形態において「回線」はＶＬＡＮＩＤで識別されるパスである。つまり、ＤＨＣＰサーバにはＶＬＡＮＩＤとＩＰアドレスとが対応付けて格納されている。以下、回線を識別する情報を回線識別情報と呼ぶ。
【００２０】
次に、ＶｏＩＰ端末１０に電話番号等の情報を設定する際におけるＶｏＩＰ用通信システムの動作概要を図１を参照して説明する。
【００２１】
まず、オペレータが、電話番号や、ＶｏＩＰ端末が使用される場所の回線に割り当てられた固定ＩＰアドレス等の設定情報を端末設定システム２０に登録する（ステップ１）。
【００２２】
ＶｏＩＰ端末１０のユーザがＶｏＩＰ端末１０の電源をＯＮすると、ＤＨＣＰサーバ４０から、回線に割り当てられた固定のＩＰアドレスがＶｏＩＰ端末１０に付与され、ＶｏＩＰ端末１０は当該ＩＰアドレスを発信元ＩＰアドレスとして端末設定システム２０にアクセスする（ステップ２）。端末設定システム２０は、ＶｏＩＰ端末１０のＩＰアドレスが登録されたＩＰアドレスに合致した場合に、そのＩＰアドレスに対応する設定情報をＶｏＩＰ端末１０にダウンロードする（ステップ３）。
【００２３】
ＶｏＩＰ端末１０は設定情報の設定が完了したことを端末設定システム２０に通知し、端末設定緒システムはその通知を受けたことを契機として、ＶｏＩＰ端末１０の設定情報を呼制御サーバ５０に送信する（ステップ４）。呼制御サーバ５０では電話番号等のＶｏＩＰ端末１０のＶｏＩＰ通信に必要な情報の設定が行われる。
【００２４】
このように、ＶｏＩＰ端末１０が端末設定システム２０とＩＰ通信を行うことにより、従来、工事担当者がＶｏＩＰ端末１０に手動で設定していた情報を自動設定することが可能となる。
【００２５】
以下、各装置について詳細に説明する。
（各装置の構成）
図２にＶｏＩＰ端末１０と端末設定システム２０の構成例を示す。図２に示すように、端末設定システムは、Ｗｅｂサーバ２１、アプリケーションサーバ２３、データベースサーバ２４、Ｗｅｂサーバ２２を備えている。
【００２６】
アプリケーションサーバ２３は各サーバと連携してデータを処理するサーバである。データベースサーバ２３はオペレータ端末７０から入力されたオーダ情報、ＶｏＩＰ端末への設定情報、及びＶｏＩＰ端末からのアクセスログ等の情報を保持するサーバである。Ｗｅｂサーバ２１はＶｏＩＰ端末１０から端末設定システム２０へのＨＴＴＰ及びＨＴＴＰＳ要求を受信し、当該要求に対して応答を返すサーバである。Ｗｅｂサーバ２２はオペレータ端末７０から端末設定システム２０へのオーダ情報を受信し、応答を返すサーバである。
【００２７】
図２の例では各サーバは１つ又は複数のコンピュータで構成されるが、複数のサーバを１つのコンピュータを用いて実現することも可能である。
【００２８】
ＶｏＩＰ端末１０は、ＩＰ通信を行うためのネットワーク通信機能部１１、０ＡＪ−ＶｏＩＰ通信を実現するためのＶｏＩＰ用通信処理部１２、本発明に係る設定情報の自動設定処理を行う自動設定処理部１３、ＰＣ用通信を実現するためのＰＣ用通信処理部１４を備えている。
【００２９】
ＶｏＩＰ端末１０は、ハードウェアとしてはＣＰＵやメモリ等を含むコンピュータに通信インタフェースを備えた構成を持ち、上記の各機能部は、当該ハードウェアとＶｏＩＰ端末１０で実行されるプログラムにより実現されるものである。
【００３０】
（処理シーケンス）
次に、上記構成を備えたシステムにおける処理シーケンスの一例を図３を参照して説明する。
【００３１】
まず、オペレータがオペレータ端末７０からオーダ情報を入力し、オペレータ端末７０がそのオーダ情報をＷｅｂサーバ２２に送信する（ステップ１１）。オーダ情報には、情報設定対象ＶｏＩＰ端末１０に付与されるＩＰアドレス、ＰＣ用通信のためのＰＰＰ−ＩＤ、ＰＰＰ−ＰＷＤ、ＶｏＩＰ通信のための電話番号、サービスドメイン、ＶｏＩＰユーザＩＤ、ＶｏＩＰユーザＰＷＤ、及びＣＡのアドレスを含む。なお、オペレータは、場所（回線）とＩＰアドレスの対応情報を参照可能であり、その対応情報に基づき、特定の場所に設置されるＶｏＩＰ端末に設定すべきＩＰアドレスを入力する。
【００３２】
ステップ１１でＷｅｂサーバ２２に送信されたオーダ情報はデータベースサーバ２４に登録される（ステップ１２）。
【００３３】
ＶｏＩＰ端末１０の電源がユーザによりＯＮされると、ＶｏＩＰ端末１０はＩＰアドレス払出要求をＤＨＣＰサーバ４０に対して送出する（ステップ１３）。このＩＰアドレス払出要求にはネットワークの機能により回線識別情報（ＶＬＡＮ−ＩＤ等）が付与され、ＤＨＣＰサーバ４０に送られる。
【００３４】
ＤＨＣＰサーバ４０は回線識別情報に対応したＩＰアドレスを、ＩＰアドレス払出要求元のＶｏＩＰ端末１０に返信する（ステップ１４）。ＶｏＩＰ端末１０はこのＩＰアドレスを自身のＩＰアドレスとして使用する。
【００３５】
その後、図３に示す例では、ＶｏＩＰ端末１０は更新情報の確認要求をＨＴＴＰを用いてＷｅｂサーバ２２に送信する（ステップ１５）。Ｗｅｂサーバ２は確認要求をアプリケーションサーバ２３に送る（ステップ１６）。アプリケーションサーバ２３は要求送信元のＩＰアドレスをキーとしてデータベースサーバ２４を参照し（ステップ１７）、ダウンロードが済んでいない更新情報の有無を確認する（ステップ１８）。データベースサーバ２４には、オーダ情報がオペレータ端末７０から更新された場合、更新後の情報がＶｏＩＰ端末１０によりダウンロードされるまで更新情報「有」の情報を有しており、その情報によりダウンロードされていない更新情報があるか否かを判断できる。
【００３６】
更新情報の確認応答はＷｅｂサーバ２２に返され（ステップ１９）、Ｗｅｂサーバ２２は更新情報の確認要求応答をＶｏＩＰ端末１０に送信する（ステップ２０）。以下、更新情報がある場合について説明する。
【００３７】
ＶｏＩＰ端末１０はダウンロードすべき更新情報があることを確認すると、設定情報ダウンロード要求をＨＴＴＰＳを用いてＷｅｂサーバ２１に送信する（ステップ２１）。設定情報ダウンロード要求はアプリケーションサーバ２３に送られる（ステップ２２）。アプリケーションサーバ２３はＶｏＩＰ端末１０のＩＰアドレスをキーとしてデータベースサーバ２４を参照し（ステップ２３）、当該ＩＰアドレスに対応する設定情報を取得する（ステップ２４）。
【００３８】
アプリケーションサーバ２３は設定情報を含む設定情報要求応答をＷｅｂサーバ２１に返し（ステップ２５）、Ｗｅｂサーバ２１は設定情報をＨＴＴＰを用いてＶｏＩＰ端末１０にダウンロードする（ステップ２６）。
【００３９】
ＶｏＩＰ端末１０はダウンロードされた設定情報に基づき設定（各設定情報を記憶装置の所定の場所に記憶する等の処理）を行い、設定完了後、設定が完了したことを示す設定完了報告をＷｅｂサーバ２１に送信する（ステップ２７）。Ｗｅｂサーバ２１は設定完了報告受領応答をＶｏＩＰ端末１０に返信するとともに（ステップ２８）、設定完了報告を転送する（ステップ２９）。また、アプリケーションサーバ２３は、設定完了報告の受領に応じて呼制御サーバ５０に設定情報を送信する（ステップ３０）。なお、オペレータ端末７０が設定完了報告の受領に応じて呼制御サーバ５０に設定情報を送信することとしてもよい。設定情報を受信した呼制御サーバ５０は、設定情報に基づき、ＶｏＩＰ端末のＶｏＩＰ通信に必要な設定を行う。
【００４０】
（ＶｏＩＰ端末の動作詳細）
次に、図４のフローチャートを参照してＶｏＩＰ端末１０の電源ＯＮ時の動作を詳細に説明する。以下の動作は主に自動設定処理部１３により実行されるものである。
【００４１】
ＶｏＩＰ端末１０は、電源ＯＮ（ステップ４０）を契機として、ＩＰ払出要求をＤＨＣＰサーバ４０に送信する（ステップ４１）。そして、ＶｏＩＰ端末１０は、ＩＰアドレスの取得を確認すると（ステップ４２）、今回取得したＩＰアドレスが前回の電源ＯＮ時に取得したＩＰアドレスと同じかどうかをチェックする（ステップ４３）。同じであれば設定情報を保持しているか否かをチェックする（ステップ４４）。ステップ４３においてＩＰアドレスが同じでないか、もしくは、ステップ４４において設定情報を保持していない場合、ＶｏＩＰ端末１０はＨＴＴＰＳを用いて端末設定システム２０にアクセスし、設定情報を取得する（ステップ４５）。そして設定を有効にするために自身を再起動する（ステップ４６）。
【００４２】
ステップ４４において設定情報を保持している場合、ＶｏＩＰ端末１０はＨＴＴＰを用いて端末設定システム２０にアクセスし、更新情報の有無を確認する（ステップ４７）。確認の結果（ステップ４８）、更新情報があればＨＴＴＰＳを用いて端末設定システムにアクセスし、設定情報を取得する（ステップ４５）。
【００４３】
ステップ４８において更新すべき情報がない場合には端末起動状態になるが（ステップ４９）、ユーザによる電源ＯＮの後に、ＶｏＩＰ端末１０における設定情報に変更があったときにはステップ４８の直後に設定完了報告を端末設定システム２０に送信する。
【００４４】
その後、ＶｏＩＰ端末１０が起動している状態において、ＶｏＩＰ端末１０は定期的に端末設置システム２０にアクセスして更新情報の確認を行い、更新すべき情報があれば図４に示した手順で設定情報を取得して設定を行い、設定完了報告を送信する。これにより、工事担当者によるメンテナンスが不要となる。
【００４５】
定期的にアクセスする時間的間隔は予めＶｏＩＰ端末１０に設定しておいてもよいし、ＶｏＩＰ端末１０が端末設定システム２０にアクセスする度に、次回のアクセス日時を端末設定システム２０がＶｏＩＰ端末１０に通知し、ＶｏＩＰ端末１０が通知された日時にアクセスを行うようにしてもよい。次回のアクセス日時を端末設定システム２０がＶｏＩＰ端末１０に通知する場合、端末設定システム２０は他のＶｏＩＰ端末からのアクセス日時を考慮して、複数のＶｏＩＰ端末からのアクセスが時間的に分散するように各ＶｏＩＰ端末がアクセスすべき日時を設定する。
【００４６】
また、上記のように、更新情報の確認等にはＨＴＴＰを用い、ダウンロードが必要な場合にのみＨＴＴＰＳによる通信を行うので、端末設定システム２０におけるＷｅｂサーバの負荷を軽減できる。
【００４７】
（端末設定システム側の動作詳細）
次に、端末設定システム側の動作について説明する。まず、図５のフローチャートを参照してオペレータ端末７０からのオーダ投入時の端末設定システム２０の動作を説明する。
【００４８】
オペレータ端末７０からの操作に応じて端末設定システム２０がログイン画面をオペレータ端末７０に送信する（ステップ５１）。端末設定システム２０がオペレータ端末７０からオペレータＩＤ、パスワードを受信し、それを認証する（ステップ５２）。認証がＯＫであれば、オペレータ端末７０から入力されたオーダ情報を受信し（ステップ５３）、データベースサーバ２４にオーダ情報を格納する（ステップ５４）。そして、未ダウンロードの更新情報が「有」であることを示す情報を設定する（ステップ５５）。
【００４９】
次に、図６のフローチャートを参照してＶｏＩＰ端末１０からのアクセスがあった時の端末設定システム２０の動作を説明する。なお、以下の処理は主にアプリケーションサーバ２３におけるアプリケーションプログラムにより実行されるものである。
【００５０】
端末設定システム２０がＶｏＩＰ端末１０からのアクセスを受信すると（ステップ６１）、アクセス元であるＶｏＩＰ端末１０のＩＰアドレスが、登録されたＩＰアドレスに含まれることを確認することによりＩＰアドレス認証を行う（ステップ６２）。なお、回線識別情報を用いることにより、アクセスを受けた回線の回線識別情報に対応して登録されたＩＰアドレスが、アクセスデータに含まれるＶｏＩＰ端末１０のＩＰアドレスに一致するか否かで認証を行ってもよい。
【００５１】
端末設定システム２０は、ＶｏＩＰ端末１０からのアクセスが更新情報の確認か、それとも設定情報のダウンロード要求かを識別する（ステップ６３）。この識別は、アクセスデータの内容を参照して行ってもよいし、アクセスがＨＴＴＰ（更新情報の確認の場合）かＨＴＴＰＳ（ダウンロード要求の場合）かで識別してもよい。
【００５２】
ステップ６３において、ＶｏＩＰ端末１０からのアクセスが更新情報の確認であると判定された場合、端末設定システム１０はデータベースサーバの内容の確認を行って、ダウンロードすべき更新情報の有無をＶｏＩＰ端末１０に送信し（ステップ６４）、ＶｏＩＰ端末１０との通信を終了する（ステップ６５）。なお、ステップ６２におけるＩＰアドレス認証が失敗の場合にもＶｏＩＰ端末１０との通信を終了する。
【００５３】
ステップ６３において、ＶｏＩＰ端末１０からのアクセスがダウンロード要求であると判定された場合、端末設定システム２０は、ＶｏＩＰ端末１０のＩＰアドレスに基づきアクセス元のＶｏＩＰ端末１０に対応する設定情報を取得し（ステップ６６）、設定情報をＶｏＩＰ端末１０に送信する（ステップ６７）。ＶｏＩＰ端末１０での設定が完了し、ＶｏＩＰ端末１０から設定完了通知を受信すると（ステップ６８）、端末設定システム２０はＶｏＩＰ端末１０との通信を終了する（ステップ６９）。そして、呼制御サーバ５０へ当該ＶｏＩＰ端末１０に対応する設定情報を送信し（ステップ７０）、更新情報を「無」に設定する（ステップ７１）。なお、更新情報が「有」の場合には、更新情報のみをＶｏＩＰ端末に送信するようにしてもよい。
【００５４】
上記のように、端末設定情報をＶｏＩＰ端末１０にダウンロードした直後に呼制御サーバ５０に対する情報設定を行うので、ＶｏＩＰ網側の開通とＶｏＩＰ端末１０の開通との同期をとることができ、設定情報の不整合によりＶｏＩＰ通信を利用できなくなることを防止でき、従来のようなＶｏＩＰ網側とＶｏＩＰ端末側の工事担当者の手間を削減できる。
【００５５】
また、端末設定システム２０は、ＶｏＩＰ端末１０に接続された回線に基づいて払い出されたＩＰアドレスをキーにしてＶｏＩＰ端末１０を認証し、設定情報をダウンロードしているが、ＶｏＩＰ端末１０が移動して別回線に接続された場合、移動後のＶｏＩＰ端末１０には前回とは異なるＩＰアドレスが払い出される。図４に示したようにＶｏＩＰ端末１０はＩＰアドレスが前回と異なることを検知し、端末設定システム２０にアクセスして変更後のＩＰアドレスに対応した設定情報をダウンロードする。これにより、特定の回線に接続されるＶｏＩＰ端末が、その回線以外の回線に対応する設定情報を用いてＶｏＩＰ通信を行うことを防止できる。
【００５６】
これまでに説明した例ではＶｏＩＰ端末１０側が主導で端末設定システム２０にアクセスしているが、端末設定システム２０からＶｏＩＰ端末１０に動作指示を行うことも可能である。動作指示は例えば端末再設定、端末内部動作ログアップデート等である。
【００５７】
この場合、ＶｏＩＰ端末１０に認証ＩＤを予め登録しておく。そして、端末設定システム２０は認証ＩＤと動作指示を含むＵＤＰパケットをＶｏＩＰ端末１０に送出し、ＶｏＩＰ端末１０はＵＤＰパケットを受信し、認証ＩＤを確認した上で、動作指示に従って例えば端末設定システム２０にアクセスしてダウンロード要求を行う。このような機能を備えることにより、ユーザによる手動操作なしに、ＶｏＩＰ端末１０を端末設定システム２０にアクセスさせることが可能となる。
【００５８】
なお、本発明は、上記の実施の形態に限定されることなく、特許請求の範囲内において、種々変更・応用が可能である。
【図面の簡単な説明】
【００５９】
【図１】本発明の一実施形態である通信システムの構成例を示す図である。
【図２】ＶｏＩＰ端末１０と端末設定システム２０の構成例を示す図である。
【図３】本発明の一実施形態である通信システムの処理シーケンスを示す図である。
【図４】ＶｏＩＰ端末１０の電源ＯＮ時の動作を説明するためのフローチャートである。
【図５】オペレータ端末７０からのオーダ投入時の端末設定システム２０の動作を説明するためのフローチャートである。
【図６】ＶｏＩＰ端末１０からのアクセスがあった時の端末設定システム２０の動作を説明するためのフローチャートである。
【符号の説明】
【００６０】
１０  ＶｏＩＰ端末
１１  ネットワーク通信機能部
１２  ＶｏＩＰ用通信処理部
１３  自動設定処理部
１４  ＰＣ用通信処理部
２０  端末設定システム
２１、２２  Ｗｅｂサーバ
２３  アプリケーションサーバ
２４  データベースサーバ
３０  ＤＳＬＡＭ
４０  ＤＨＣＰサーバ
５０  呼制御サーバ（ＣＡ）
６０  ＢＡＳ
７０  オペレータ端末
【図１】
0004522942.tif 000002
【図２】
0004522942.tif 000003
【図３】
0004522942.tif 000004
【図４】
0004522942.tif 000005
【図５】
0004522942.tif 000006
【図６】
0004522942.tif 000007